(57)【要約】【課題】男性器をピストン運動によって刺激する際、下半身を保温しながら性器以外に存在する下半身の性感帯へ副次的に刺激及び鼠径部リンパ節へのマッサージ効果が得られる事を可能にする男性用下半身衣類及びマッサージ用クッションを提供する。【解決手段】前開き可能な男性用タイツのように股間部に股間部表生地及び股間部裏生地を持つ下半身衣類において、股間部表生地に一対の表スリットを折り返し可能な第１マッサージ用クッションホルダーと、股間部裏生地に前記表スリットと逆方向に折り返し可能な第２マッサージ用クッションホルダーを備えている。【選択図】図５
2015193974.tif 000002
【特許請求の範囲】
【請求項１】
前開き可能な男性用タイツのように股間部に股間部表生地及び股間部裏生地を持つ下半身衣類において、前記表生地にスリット間を折り返し可能な一対の表スリットと、前記裏生地にスリット間を一対の表スリットと逆方向に折り返し可能な一対の裏スリットと、一対の表スリット間に縫合した第１マッサージ用クッションを保持する第１マッサージ用クッションホルダーと、一対の裏スリット間に縫合した第２マッサージ用クッションを保持する第２マッサージ用クッションホルダーを備えていることを特徴とする男性用下半身衣類。
【請求項２】
第１マッサージ用クッションホルダーにおいて一方の側面にマッサージ用クッション挿入口を有し、第２マッサージ用クッションホルダーにおいて一方の側面にマッサージ用クッション挿入口を有する請求項１の男性用下半身衣類。
【発明の詳細な説明】
【技術分野】
【０００１】本発明はピストン運動によって男性器に刺激を与える際、同時に恥骨周辺のマッサージに血行の促進、刺激部位の拡大を可能とするマッサージ用クッションホルダーを有する下半身衣類に関するものである。
【背景技術】
【０００２】従来、股間部にスリットを有する下半身においては、股間部生地の開口を容易にすることだけを目的としていた。【０００３】また、股間部にクッションを有する下半身衣類においては、衣類との摩擦軽減や良好な通気性の確保を目的としたものが一般的であり、マッサージを目的としてクッションを利用するものは提供されていなかった。【０００４】ピストン運動によって男性器に刺激を与える際に刺激を補助するものにおいては、あくまで男性器に対してのみ刺激を与えるものしかなく。男性器の付け根、恥骨、鼠径部といった男性器以外の部分に刺激を与えることを目的としたものや、下半身の保温による男性機能の補助や恥骨周辺のマッサージによる血行促進といった目的のものが提供されていなかった。
【先行技術文献】
【特許文献】
【０００５】
【特許文献１】特開平１１−２４１２０２
【特許文献２】特開平０７−１３６３０９
【特許文献３】特許公開２００７−５４５８１
【発明の概要】
【発明が解決しようとする課題】
【０００６】これまで股間部にクッション及びクッションホルダーを有する下半身衣類は、あくまで衣類との摩擦軽減や良好な通気性の確保を目的としたものであり、股間部のクッションをマッサージに用いることは行われていなかった。【０００７】また、男性器を刺激するピストン運動を利用するものにおいては、男性器のみへの刺激を目的としており、男性器の付け根から鼠径部といった男性器以外に対する刺激やマッサージは考慮されていなかった。【０００８】そのため、男性器を刺激するピストン運動によって男性器を刺激する際、鼠径部のリンパ節などへのマッサージを副次的に行うことによる血行の促進や男性機能の回復といった性的刺激以外の有用な効果を得ることができていない。【０００９】さらに、男性器をピストン運動によって刺激する際、冬場など気温の低い時男性器以外の部分の下半身が必要以上に露出され、保温効果が失われることで性機能が低下してしまい勃起状態の維持が困難となり、暖房機器によって直接股間部を暖めようとした場合、温風の当たる下半身の外側のみが過剰に暖められるだけで、股間部を暖めることができず、軽度の熱傷を負う危険もあり、現在確実な問題解決法としては部屋全体を高い温度まで暖め維持するというのは経済的な面で非常に効率が悪い。【００１０】本発明は上述した課題を鑑みなされたもので、男性器をピストン運動によって刺激する際、下半身の露出を最低限にすることで股間部を保温しつつ、暖房機器による下半身の側面の熱傷を防ぎ。男性器をピストン運動によって刺激する際のピストン運動による単一の行動のみで、男性器以外の性感帯。特に男性器の付け根付近から鼠径部にかけてへの刺激及び鼠径部リンパ節のマッサージを男性器を刺激するピストン運動と併行して行うことのできる、男性用下半身衣類及び本発明に用いるマッサージ用クッションを提供することである。
【課題を解決するための手段】
【００１１】上述した目的を達成するため、請求項１に記載の男性用下半身衣類では、前開き可能な男性用タイツのように股間部に股間部表生地及び股間部裏生地を持つ下半身衣類に、股間部表生地にスリット間を折り返し可能な一対の表スリットと、股間部裏生地にスリット間を一対の表スリットと逆方向に折り返し可能な一対の裏スリットと、一対の表スリット間に縫合して第１マッサージ用クッションを保持する第１マッサージ用クッションホルダーと、一対の裏スリット間に縫合して第２マッサージ用クッションを保持する第２マッサージ用クッションホルダーを設けた男性用下半身衣類に、前記クッションホルダーへ板状の弾性マッサージクッションを挿入し、スリットを折り返すことにより、股間部の第１マッサージ用クッションホルダー折り返し部分と第２マッサージ用クッションホルダー折り返し部分の間から男性器を露出して折り返したマッサージ用クッションを恥骨や鼠径部に宛がい密着させ、男性器を刺激するピストン運動で副次的にクッションを圧迫して男性器の付け根から鼠径部を刺激するという手段を用いた。【００１２】請求項２に記載の男性用下半身衣類では、第１マッサージ用クッションホルダーにおいて一方の側面にマッサージ用クッション挿入口を有し、第２マッサージ用クッションホルダーにおいて一方の側面にマッサージ用クッション挿入口を有することで、第１及び第２マッサージ用クッションホルダーの縦幅を長くした場合においても、挿入したマッサージ用クッションを保持することができる。
【発明の効果】
【００１３】本発明の男性用下半身衣類によれば、クッションホルダーのスリットを折り返すことで下半身に着衣した状態でも男性器のみを無理なく露出できるので男性器以外の下半身の保温効果を高めることができ、暖房機器の温風などで直接下半身を暖めた場合でも、温風の当たる下半身の側面だけが過剰に熱され熱傷を引き起こすことを防ぎ、下半身を広く暖めることができるため。冬場など気温の低い時にも支障なく男性器をピストン運動によって刺激することができる。【００１４】また、マッサージ用クッションホルダーに板状マッサージ用クッションを挿入した状態でスリットを折り返すことにより、板状マッサージ用クッションを男性器の付け根から鼠径部にかけて密着させることができ、男性器に刺激を与えるピストン運動の際に併せてマッサージ用クッションを圧迫することで、男性器と同時に男性器の付け根から鼠径部にかけてを単一の行為によって刺激を与えることが可能になり、男性器を刺激するピストン運動で圧迫された折り返したマッサージ用クッションによって鼠径部のリンパ節がマッサージできるので、性的な快感以外にもリンパマッサージによる血流促進による健康状態の改善やダイエット効果を得ることができる。【００１５】また、男性器を刺激するピストン運動といった軽度の運動行為と鼠径部リンパ節へのマッサージを同時に行うことは、従来では非常に困難なことであったが、本発明を用いることで無理なく前記２つの行為を実行することができるので、それぞれの血行促進効果を同時に得ることで効率的な血行促進効果を得ることが可能である。
【図面の簡単な説明】
【００１６】
【図１】本発明の袋状マッサージ用クッションホルダー向けマッサージ用クッションを示した斜面図
【図２】本発明の袋状マッサージ用クッションホルダー向けマッサージ用クッションの折り返した状態を示した断面図
【図３】本発明の袋状マッサージ用クッションホルダーを有する男性用下半身衣類及びマッサージ用クッションの未使用状態を示した正面図
【図４】本発明の第１袋状マッサージ用クッションホルダー、第２マッサージ用袋状クッションホルダー及び袋状向けマッサージ用クッションの未使用状態を示した断面図
【図５】本発明の男性用下半身衣類の第１袋状マッサージ用クッションホルダー及び第２袋状マッサージ用クッションホルダーの縫合方法について示した正面図
【図６】本発明の袋状マッサージ用クッションホルダーを有する男性用下半身衣類及び袋状向けマッサージ用クッションの使用状態を示した正面図
【発明を実施するための形態】
【００１７】以下、本発明の好ましい実施の形態を添付した図面に従って説明する。図１は、本発明における袋状マッサージ用クッションホルダー向けクッション１の構成について説明する。袋状マッサージ用クッションホルダー向けマッサージ用クッション１は、シリコンゴムのように弾力性のある素材を用いて形成した長方形の板の長辺ｂから短辺ａの３割までに段階的に小さくなる４列の突起物２を板上に形成し、段階的に小さくなる４列の突起物２において最も小さい列の突起物の高さは段階的に小さくなる４列の突起物２において２番目に小さな突起物の列の半分の高さで形成されている。そして、段階的に小さくなる４列の突起物２から、最も小さい列の突起物の高さと同じ幅の間隔を置き、間隔部分が溝３となるよう、段階的に小さくなる４列の突起物２において２番目に小さい列の突起物と同じ高さの突起物を一列に形成している。
【００１８】また、図２は袋状マッサージ用クッションホルダー向けマッサージ用クッション１を溝３部分で折り返した状態を示す断面図である。溝３として形成された上述の間隔部分で袋状マッサージ用クッションホルダー向けマッサージ用クッション１を折り返すことにより、図２が示すように、２番目に小さい列の突起物と同じ高さの突起物がストッパー４の役目を果たし、袋状マッサージ用クッションホルダー向けマッサージ用クッション１の折り返しを９０度より倒れないようにしている。
【００１９】図３は、本発明の袋状マッサージ用クッションホルダーを有する男性用下半身衣類を示す正面図であり、図４は、前記男性用下半身衣類における袋状マッサージ用クッションホルダーの上からの断面図を示している。以下は、図３、４を参照して、本発明の袋状マッサージ用クッションホルダーを有する男性用下半身衣類の構成について説明する。本発明の男性用下半身衣類は、股間部に小用開口部をもつ男性用タイツやスパッツなどの前開き可能な密着性の高い男性用下半身衣類５において、小用開口部左側面縫合部側６
に第１袋状マッサージ用クッションホルダーマッサージ用クッション挿入口７を持ち、前記板状クッション１の長辺を縦にした状態で挿入される第１袋状マッサージ用クッションホルダー８を小用開口部表生地９に有しており、同様に、小用開口部右側面縫合部側１０に第２袋状マッサージ用クッションホルダーマッサージ用クッション挿入口１１を持ち、前記板状クッション１の長辺を縦にした状態で挿入される第２袋状マッサージ用クッションホルダー１２を小用開口部裏生地１３に形成したものである。
【００２０】図５は、本発明における男性用下半身衣類の袋状マッサージ用クッションホルダーのスリットを折り返した状態を示した正面図であり、小さな長方形は縫合部を示している。また、図６は、本発明における男性用下半身衣類の袋状マッサージ用クッションホルダーの使用状態を示した正面図である。以下は、図５、６を参照して、本発明における袋状マッサージ用クッションホルダーの構成について説明する。股間部に小用開口部をもつ前開き可能な密着性の高い男性用下半身衣類５において、長辺の幅が前記板状クッションより７ｃｍ、短辺の幅が２ｃｍ広い長方形の第１袋状マッサージ用クッションカバー１４及び第２袋状マッサージ用クッションカバー１５を用いる。
【００２１】まず、長辺を縦にした第１袋状マッサージ用クッションカバー１４を小用開口部表生地の前立て下部の付け根１６
より、第１袋状マッサージ用クッションカバー１４の下縁を２ｃｍはみ出させ、第１袋状マッサージ用クッションカバー１４を小用開口部表生地の前立て下部の付け根１６より上部へ１ｃｍの間隔を置き、真横に小用開口部表生地９と縫合して第１袋状マッサージ用クッションホルダー下縁縫合部１７を形成し、同様にして、長辺を縦にした第２袋状マッサージ用クッションカバー１５を小用開口部裏生地の前立て下部の付け根より、第２袋状マッサージ用クッションカバー１５の下縁を２ｃｍはみ出させ、第２袋状マッサージ用クッションカバー１５を小用開口部裏生地１３の前立て下部の付け根より上部へ１ｃｍの間隔を置き、真横に小用開口部裏生地１３と縫合して第２袋状マッサージ用クッションホルダー下縁縫合部１９を形成し。
【００２２】第１袋状マッサージ用クッションホルダー下縁縫合部１７及び第２袋状マッサージ用クッションホルダー下縁縫合部１９より下部に２．５ｃｍの間隔を置き、第１袋状マッサージ用クッションカバー１４及び小用開口部表生地９と第２袋状マッサージ用クッションカバー１５及び小用開口部裏生地１３を一直線に縫合し袋状マッサージ用クッションホルダー下端縫合部２０を形成している。
【００２３】第１袋状マッサージ用クッションカバー下縁縫合部１４から上部１５ｃｍまで小用開口部表生地９を第１袋状マッサージ用クッションカバー１４に添って小用開口部表生地縦スリットｄを切り込み、同様にして、第２袋状マッサージ用クッションカバー下縁縫合部１９から上部１５ｃｍまで小用開口部裏生地１３を第２袋状マッサージ用クッションカバー１５に添って小用開口部裏生地縦スリットを切り込み。
【００２４】第１袋状マッサージ用クッションカバー１４の小用開口部表生地９前立て側の縁と小用開口部表生地９の前立て側の端を、第１袋状マッサージ用クッションカバー下縁縫合部１７から小用開口部表生地縦スリットｄの端までを縫い合わせ、第１袋状マッサージ用クッションホルダー前立て側縫合部２１を形成し、同様にして、第２袋状マッサージ用クッションカバー１５の小用開口部裏生地１８前立て側の縁と小用開口部裏生地１３の前立て側の端を、第２袋状マッサージ用クッションカバー下縁縫合部１９から小用開口部裏生地縦スリットの端まで縫い合わせ第２袋状マッサージ用クッションホルダー前立て側縫合部２２を形成している。
【００２５】さらに、前述の第１袋状マッサージ用クッションホルダー前立て側縫合部２１上端から小用開口部表生地９及び第１袋状マッサージ用クッションカバー１４を、小用開口部右側面縫合部２３から小用開口部左側面縫合部２４までの３割の位置まで真横に切り込み袋状マッサージ用クッションホルダー表上スリット２５を形成し、小用開口部表生地前立て下部の付け根１６より、第１袋状マッサージ用クッションカバー下縁縫合部１９から下部に１ｃｍの間隔をとり、小用開口部中心まで、第１袋状マッサージ用クッションカバー下縁縫合部１９と平行に小用開口部表生地９及び第１袋状マッサージ用クッションカバー１４を切り込んだ袋状マッサージ用クッションホルダー表下スリット２６によって一対の表スリットを形成したものであり、同様にして、第２袋状マッサージ用クッションホルダー前立て側縫合部２２上端から、小用開口部裏生地１３及び第２袋状マッサージ用クッションカバー１５を小用開口部左側面縫合部２４から前記右側面縫合部２４間における３割まで真横に切り込んで袋状マッサージ用クッションホルダー裏上スリット２７を形成し、小用開口部裏生地１３前立て下部の付け根より、第２袋状マッサージ用クッションカバー下縁縫合部１９から下部に１ｃｍの間隔をとり小用開口部中心まで、第２袋状用クッションカバー下縁縫合部１９と平行に小用開口部裏生地１３及び第２袋状マッサージ用クッションカバー１５を切り込んだ袋状マッサージ用クッションホルダー裏下スリット２８によって一対の裏スリットを形成したものである。
【００２６】また、袋状マッサージ用クッションホルダー表上スリット２５上部の小用開口部右側面縫合部２３側の第１袋状マッサージ用クッションホルダーカバー１４の縁を、袋状マッサージ用クッションホルダー表上スリット２５から、第１袋状マッサージ用クッションホルダーカバー１４、小用開口部表生地９、第２袋状マッサージ用クッションカバー１５、小用開口部裏生地１３を、１ｃｍ縫合して袋状マッサージ用クッションホルダー右上側面縫合部ｅを形成し。袋状マッサージ用クッションホルダー裏上スリット２７上部の小用開口部左側面縫合部２４側の第２袋状マッサージ用クッションホルダーカバー１５の縁を、袋状マッサージ用クッションホルダー裏上スリット２７から上部へ２ｃｍの間隔を置いて第２袋状マッサージ用クッションホルダーカバー１５の上端まで、第１袋状マッサージ用クッションホルダーカバー１４、小用開口部表生地９、第２袋状マッサージ用クッションホルダーカバー１５、小用開口部裏生地１３を縫合して袋状マッサージ用クッションホルダー左上側面縫合部ｆを形成している。
【００２７】さらに、袋状マッサージ用クッションホルダー右上側面縫合部ｅの上端から、袋状マッサージ用クッションホルダー左上側面縫合部ｆの下端に向かって、第１袋状マッサージ用クッションカバー１４、小用開口部表生地９、第２袋状マッサージ用クッションカバー１５、小用開口部裏生地１３を縫合した第１及び第２袋状マッサージ用クッションホルダー上方縫合部２９を形成したものであり。
【００２８】袋状マッサージ用クッションホルダー表上スリット２５のスリット下側において、第１袋状マッサージ用クッションカバー１４の上端と小用開口部表生地９の上端を縫合し、袋状マッサージ用クッションホルダー表上スリット下側縫合部３０を形成し、同様にして、袋状マッサージ用クッションホルダー裏上スリット２７のスリット下側において、第２袋状マッサージ用クッションカバー１５の上端と小用開口部裏生地１３の上端を縫合し、袋状マッサージ用クッションホルダー裏上スリット下側縫合部３１を形成している。さらに、第１袋状マッサージ用クッションホルダー前立て側縫合部２１からクッションの短辺ａ幅を置いて第１及び第２袋状マッサージ用クッションホルダー上端縫合部２９より真下へ第１袋状マッサージ用クッションカバー１４と小用開口部表生地９を４．５ｃｍ縫合し、また、第１袋状マッサージ用クッションホルダー前立て側縫合部２１からクッションの短辺ａ幅より１ｃｍ広く間隔を置き、第１袋状マッサージ用クッションホルダー下縁縫合部１７より真上に第１袋状マッサージ用クッションカバー１４と小用開口部表生地９を４．５ｃｍ縫合して、第１袋状マッサージ用クッションホルダーマッサージ用クッション挿入口３２を形成しており、同様にして、第２袋状マッサージ用クッションホルダー前立て側縫合部２２からクッションの短辺ａ幅を置いて第１及び第２袋状マッサージ用クッションホルダー上方縫合部２９より真下へ第２袋状マッサージ用クッションカバー１５と小用開口部裏生地１３を４ｃｍ縫合し、また、第２袋状マッサージ用クッションホルダー前立て側縫合部２２からクッションの短辺ａ幅より１ｃｍ広く間隔を置き、第２袋状マッサージ用クッションホルダー下縁縫合部１９より真上に第２袋状マッサージ用クッションカバー１５と小用開口部裏生地１３を４．５ｃｍ縫合して、第２袋状マッサージ用クッションホルダーマッサージ用クッション挿入口３３を形成した男性用下半身衣類である。
【００２９】図６は、袋状マッサージ用クッションホルダー向けマッサージ用クッション１を挿入した袋状マッサージ用クッションホルダーを折り返し当て布を挟み込んだ状態を示した図である。以下、図４、５、６を参照して、本発明における動作について説明する。図４が示すように、第１袋状マッサージ用クッションホルダー８において袋状マッサージ用クッションホルダー向けマッサージ用クッション１を、段階的に小さくなる突起物２が第１袋状マッサージ用クッションホルダーカバー１４側に向き、かつ、第１袋状マッサージ用クッションホルダー前立て側縫合部２１と隣接するように挿入し、同様にして、第２袋状マッサージ用クッションホルダー１２において袋状マッサージ用クッションホルダー向けマッサージ用クッション１を、段階的に小さくなる突起物２が第２袋状マッサージ用クッションホルダーカバー１５側に向き、かつ、第２袋状マッサージ用クッションホルダー前立て側縫合部２２と隣接するように挿入されることが好ましく。図５、６が示すように、一対の第１袋状マッサージ用クッションホルダー表スリット及び一対の第２袋状マッサージ用クッションホルダー裏スリットを袋状向けマッサージ用クッションの溝３部分で折り返し立てた状態で維持することで、下半身の保温効果を保ちつつ袋状クッションホルダー間より男性器を露出することが可能である。
【００３０】また、立てた状態で折り返した第１袋状マッサージ用クッションホルダー８及び第２袋状マッサージ用クッションホルダー１２を、男性器の付け根と恥骨に横から密着させて宛がい。男性器をピストン運動で刺激する際に、第１袋状マッサージ用クッションホルダー表生地側前立て縫合部２１及び第２袋状マッサージ用クッションホルダー裏生地前立て側縫合部２２から第１袋状マッサージ用クッションホルダー８及び第２袋状マッサージ用クッションホルダー１２を圧迫することで、ピストン運動により男性器を刺激する単一の行動によって、圧迫された袋状マッサージ用クッションホルダー向けマッサージ用クッション１を伝わり恥骨の周辺にも副次的に圧迫刺激及び摩擦刺激を与えることができる。
【００３１】また、袋状マッサージ用クッションホルダー左上側面縫合部ｆにおいて、第１及び第２袋状マッサージ用クッションホルダー上方縫合部２９より下を縫合しない、かつ、袋状マッサージ用クッションホルダー右上側面縫合部ｅの上端から、袋状マッサージ用クッションホルダー左上側面縫合部ｆの下端に向かって第１及び第２袋状クッションホルダー上方縫合部２９を斜めに縫合することにより、第１及び第２袋状マッサージ用クッションホルダー上方縫合部２９下部を含めてスリットを折り返すことができるので、袋状マッサージ用クッションホルダー裏上スリット２７が小用開口部中心まで切り込まれていなくても袋状マッサージ用クッションホルダー裏上スリット２７を折り返すことが可能であり、折り返した袋状マッサージ用クッションホルダー裏上スリット２７が折り返した第１袋状マッサージ用クッションホルダー８へ引っ掛かった状態で折り返されるので、立てた状態で折り返されたマッサージ用クッションを男性器の根元や恥骨へ密着させることができる。
【００３２】さらに、第１袋状マッサージ用クッションホルダーマッサージ用クッション挿入口３２及び第２袋状マッサージ用クッションホルダークッション挿入口３３をマッサージ用クッションの外側に設けることで、折り返したマッサージ用クッションが男性器を刺激するピストン運動で圧迫された際に、第１袋状マッサージ用クッションホルダー８においては第１袋状マッサージ用クッションホルダーマッサージ用クッション挿入口３２へマッサージ用クッションが押し出され。第２袋状マッサージ用クッションホルダー１２においては第２袋状マッサージ用クッションホルダーマッサージ用クッション挿入口３３へマッサージ用クッションが押し出されることで、押し出されたマッサージ用クッションにより摩擦刺激を鼠径部周辺に与えることができる。
【００３３】男性器の付け根と宛がった袋状クッションホルダーとの密着性が不十分な場合。図６が示すように、第１袋状マッサージ用クッションホルダー前立て側縫合部２１から第１袋状マッサージ用クッションホルダー８の折り返しと、第２袋状マッサージ用クッションホルダー前立て側縫合部２２から第２袋状マッサージ用クッションホルダー１２の折り返しにかけて、折り重ねたトイレットペーパー３４を挟み込むことが好ましく。男性器の付け根と袋状マッサージ用クッションホルダーの間の隙間を折り重ねたトイレットペーパー３４が埋めることで、密着性を高め刺激を与えやすくすることができるためである。
【産業上の利用可能性】
【００３４】上述の発明は男性器をピストン運動によって男性器を刺激する際に鼠径リンパ節もマッサージ可能な健康向上衣類として利用可能である。
【符号の説明】
【００３５】１  袋状マッサージ用クッションホルダー向けマッサージ用クッション
２  段階的に小さくなる４列の突起物
３  溝
４  ストッパー
５  前開き可能な密着性の高い男性用下半身衣類
６  小用開口部左側面縫合部側
７  第１袋状マッサージ用クッションホルダーマッサージ用クッション挿入口
８  第１袋状マッサージ用クッションホルダー
９  小用開口部表生地
１０  小用開口部右側面縫合部側
１１  第２袋状マッサージ用クッションホルダーマッサージ用クッション挿入口
１２  第２袋状マッサージ用クッションホルダー
１３  小用開口部裏生地
１４  第１袋状マッサージ用クッションカバー
１５  第２袋状マッサージ用クッションカバー
１６  小用開口部表生地の前立て下部の付け根
１７  第１袋状マッサージ用クッションホルダー下縁縫合部
１９  第２袋状マッサージ用クッションホルダー下縁縫合部
２０  袋状マッサージ用クッションホルダー下端縫合部
２１  第１袋状マッサージ用クッションホルダー前立て側縫合部
２２  第２袋状マッサージ用クッションホルダー前立て側縫合部
２３  小用開口部右側面縫合部
２４  小用開口部左側面縫合部
２５  袋状マッサージ用クッションホルダー表上スリット
２６  袋状マッサージ用クッションホルダー表下スリット
２７  袋状マッサージ用クッションホルダー裏上スリット
２８  袋状マッサージ用クッションホルダー裏下スリット
２９  第１及び第２袋状マッサージ用クッションホルダー上方縫合部
３０  袋状マッサージ用クッションホルダー表上スリット下側縫合部
３１  袋状マッサージ用クッションホルダー裏上スリット下側縫合部
３２  第１袋状マッサージ用クッションホルダーマッサージ用クッション挿入口
３３  第２袋状マッサージ用クッションホルダーマッサージ用クッション挿入口
３４  トイレットペーパー
ａ  クッションの短辺
ｂ  クッションの長辺
ｄ  小用開口部表生地縦スリット
ｅ  袋状マッサージ用クッションホルダー右上側面縫合部
ｆ  袋状マッサージ用クッションホルダー左上側面縫合部
【図１】
2015193974.tif 000003
【図２】
2015193974.tif 000004
【図３】
2015193974.tif 000005
【図４】
2015193974.tif 000006
【図５】
2015193974.tif 000007
【図６】
2015193974.tif 000008